(57)【要約】【課題】オス型にもメス型にも設定を可能としたケーブルコネクタ装置を実現することを目的とする。【解決手段】ハウジング１１と、ピン（１）〜（９）と、スイッチ装置５０と、ハウジング１１を囲んで摺動可能であるシールド部材４０とを有する。シールド部材４０を移動させると、これと連動してピン（１）〜（９）が移動し、且つ、スイッチ装置５０が移動する。シールド部材４０を先方向に移動させると、ピン（１）〜（９）がハウジング１１より突き出し、シールド部材４０がピン（１）〜（９）を囲んで、オス型となる。シールド部材４０をケーブル１００の方向に移動させると、ピン（１）〜（９）がハウジング１１内に後退し、スイッチ装置５０が移動してピン（１）〜（９）と電線との接続が変更されて、メス型となる。【選択図】図１
2009064628.tif 000002
【特許請求の範囲】
【請求項１】
複数の電線を有するケーブルの端に、ハウジングと該ハウジングに整列して配してある複数のコンタクトとを有する構成のコネクタを備えてなるケーブルコネクタ装置において、
前記コネクタは、前記ハウジングを囲んで設けてあり、前記ハウジングより前方に突き出た位置と、前記ケーブルの側に後退した位置とに移動可能なシールド部材を有し、
前記シールド部材が前記突き出た位置に移動されると、前記コンタクトが前記ハウジングの前面より突き出て且つ前記シールド部材が前記ハウジングの前面より突き出ている前記コンタクトを囲んでオス型となり、
前記シールド部材が前記後退した位置に移動されると、前記コンタクトが前記ハウジング内に後退し前記ハウジングの前面に孔が露出し且つ前記前記コンタクトと前記電線との接続が切り換わってメス型となる構成のケーブルコネクタ装置。
【請求項２】
複数の電線を有するケーブルの端にコネクタを備えてなるケーブルコネクタ装置において、
前記コネクタが、
複数の孔が並んでいるハウジングと、
前記ハウジングの前記孔内に移動可能に収まっているコンタクトと、
前記コンタクトと前記電線との間の接続を切り換えるスイッチ装置と、
前記ハウジングを囲んで設けてあり、前記ハウジングより前方に突き出た第１の位置と前記ケーブルの側に後退した第２の位置との間で摺動可能であるシールド部材を有し、
前記シールド部材は、その移動に連動して前記コンタクトを移動させ且つ前記スイッチ装置を動作させる構成であり、
前記シールド部材を前記第１の位置に位置させたときには、前記コンタクトが前記ハウジングの前面より突き出て且つ前記シールド部材が前記ハウジングの前面より突き出ている前記コンタクトを囲んでオス型となり、
前記シールド部材を前記第２の位置に位置させたときには、前記コンタクトが前記ハウジング内に後退し前記ハウジングの前面に孔が露出し且つ前記前記コンタクトと前記電線との接続が切り換わってメス型となる構成のケーブルコネクタ装置。
【請求項３】
前記ハウジングは、前記孔に沿うスリットを有し、
前記コンタクトは、前記スリットを通って外部に突き出した突起部を有し、
前記シールド部材は、前記突起部と嵌合する開口を有する請求項２に記載のケーブルコネクタ装置。
【請求項４】
前記スイッチ装置は、前記ハウジングの背面に、一部が前記ハウジングの側面より突き出た状態で摺動可能に設けてあり、且つ、前記ハウジングの側面より突き出た箇所に斜面部を有し、
前記第１の位置から前記第２の位置へ移動される前記シールド部材によって前記斜面部を押されて前記ハウジングの背面に沿って移動する請求項２に記載のケーブルコネクタ装置。
【発明の詳細な説明】
【技術分野】
【０００１】
本発明はケーブルコネクタ装置に係り、特にコネクタをケーブルの端に有する構成であり、パソコンとモデムとの接続、パソコン同士の接続に使用されるケーブルコネクタ装置に関する。
【背景技術】
【０００２】
パソコンとモデムとの接続、パソコン同士の接続には、ＲＳ−２３２と称呼されるケーブルコネクタ装置が使用される。このケーブルコネクタ装置はケーブルの両端にコネクタを有する構成である。このケーブルコネクタ装置には、両端のコネクタが、共にピンがハウジングより突き出ているオス型のもの或いはピンがハウジングの内部に凹んでいるメス型のもの、又は、一端のコネクタがオス型で反対側ののコネクタがメス型のものもある。オス型のコネクタとメス型のコネクタとでは、端子の番号の並びが鏡面対称の関係となっている。
【特許文献１】特開２００３−２２７１７
【特許文献２】特開２０００−１０６８６
【特許文献３】特開平０４−２９１６１４
【発明の開示】
【発明が解決しようとする課題】
【０００３】
ユーザは、用途に応じてオス型のケーブルコネクタ装置或いはメス型のケーブルコネクタ装置を購入しなければならず経済的ではなかった。
【０００４】
本発明は、上記の点に鑑みてなされたケーブルコネクタ装置を提供することを目的とする。
【課題を解決するための手段】
【０００５】
本発明は、複数の電線を有するケーブルの端に、ハウジングと該ハウジングに整列して配してある複数のコンタクトとを有する構成のコネクタを備えてなるケーブルコネクタ装置において、
前記コネクタは、前記ハウジングを囲んで設けてあり、前記ハウジングより前方に突き出た位置と、前記ケーブルの側に後退した位置とに移動可能なシールド部材を有し、
前記シールド部材が前記突き出た位置に移動されると、前記コンタクトが前記ハウジングの前面より突き出て且つ前記シールド部材が前記ハウジングの前面より突き出ている前記コンタクトを囲んでオス型となり、
前記シールド部材が前記後退した位置に移動されると、前記コンタクトが前記ハウジング内に後退し前記ハウジングの前面に孔が露出し且つ前記前記コンタクトと前記電線との接続が切り換わってメス型となる構成としたことを特徴とする。
【発明の効果】
【０００６】
本発明によれば、シールド部材をハウジングに沿って摺動させる操作を行うことによって、ケーブルコネクタ装置をオス型或いはメス型とすることが出来る。よって、ユーザは一本のケーブルコネクタ装置を購入して、これをオス型或いはメス型とすることによって、パソコンとモデムとの接続、パソコン同士の接続に使用することが可能となり、経済的負担が軽減する。
【発明を実施するための最良の形態】
【０００７】
次に本発明の実施の形態について説明する。
【実施例１】
【０００８】
図１及び図２は本発明の実施例1になるオス型のケーブルコネクタ装置１Ｍの一端側の部分を示す。シールド部材４０を操作することによって、ケーブルコネクタ装置１０は、オス型から図８及び図９に示すメス型へと切り換る。Ｘ１−Ｘ２は幅方向、Ｙ１−Ｙ２は長手方向、Ｚ１−Ｚ２は厚さ方向である。
【０００９】
ケーブルコネクタ装置１は、ケーブル１００の端にコネクタ１０を備えた構成であり、ハウジング１１と、９つのピン（１）〜（９）と、シールド部材４０と、スイッチ装置５０と、ケーブル１００とを有する。コネクタ１０は、ハウジング１１と、９つのピン（１）〜（９）と、シールド部材４０と、スイッチ装置５０とを有する。ケーブル１００は、電線１０１−１、１０１−２、１０１−４〜１０１−９と、シールド線１０２とを有する。なお、ケーブル１００の反対側の端にも同じコネクタが設けてある。
【００１０】
ハウジング１１は、合成樹脂製の成形部品であり、Ｙ２側から見て逆台形であり略扁平な直方体形状である。１２は上面、１３は下面、１４は前面、１５は背面、１６，１７は側面である。ハウジング１１には、Ｚ１側寄りに５つの孔１８が、Ｚ２側寄りに４つの孔１９がＸ１−Ｘ２方向に整列して且つＹ１−Ｙ２方向に貫通して形成してある。上面１２には、各孔１８に沿うスリット２０が形成してある。また、下面１３には、各孔１９に沿うスリット２１が形成してある。スリット２０、２１は背面１５からは前面１４の近くの部位の間に形成してある。
【００１１】
また、孔１８，１９の内面には金属膜２５が形成してあり、その金属膜２５の一端は、背面１５に露出しており、スイッチ装置の固定端子２６−１〜２６−９がピッチＡで並んで形成してある。
【００１２】
ピン（１）〜（９）は、孔１８，１９に嵌合する大きさであり、Ｙ１側に突起部３０を有する。ピン（１）〜（５）は、突起部３０がスリット２０を通って上面１２に突き出した状態で、孔１８にスライド可能に嵌合してある。ピン（６）〜（９）は、突起部３１がスリット２１を通って下面１３に突き出した状態で、孔１９にスライド可能に嵌合してある。
【００１３】
ピン（１）〜（９）の長さＬ１はハウジング１１の長さＬ２よりも短く、第１の位置Ｐ１或いは第２の位置Ｐ２に位置する。第１の位置Ｐ１は、Ｙ２方向に最大に移動した図１及び図２に示す位置である。ピン（１）〜（９）は、ハウジング１１の前面１４よりＹ２方向に突き出ている。第２の位置Ｐ２は、Ｙ１方向に最大に移動した図６及び図７に示す位置である。ピン（１）〜（９）は、ハウジング１１の前面１４よりＹ１方向に後退しており、ハウジング１１の前面１４には孔１８、１９が露出して並んでいる。Ｐ１、Ｐ２はピン（１）〜（９）のＹ１側の端の位置で表す。
【００１４】
シールド部材４０は、ハウジング１１を囲む鞘状であり、中空の逆台形であり、Ｙ１側の近くに、スリット２０及び２１に対応した配置で開口４１，４２が形成してある。シールド部材４０は導電性であり、ピン（３）以外のピンの突起部に嵌合する開口の箇所が絶縁性である。また、シールド部材４０は、開口４１が突起部２０に嵌合し、開口４２が突起部２１に嵌合した状態で、ハウジング１１を囲んで、Ｙ１−Ｙ２方向にスライド可能に設けてあり、第１の位置Ｑ１或いは第２の位置Ｑ２に位置する。第１の位置Ｑ１はハウジング１１の前面１４より先に突き出るようにＹ２方向に最大に移動した図１及び図２に示す位置であり、第２の位置Ｑ２はＹ１方向に最大に移動して後退した図６及び図７に示す位置である。第２の位置Ｑ２は、ハウジング１１の前面１４側の部分が露出し且つシールド部材４０のＹ１側の部分がスイッチ装置５０を囲んで嵌合する位置である。Ｑ１、Ｑ２はシールド部材４０のＹ１側の端の位置で表す。シールド部材４０はピン（３）とは電気的に接続してある。
【００１５】
シールド部材４０は長さＬ３を有する。Ｌ３はＬ１より長く、Ｌ２より短く、Ｌ２>Ｌ３>Ｌ１の関係にある。シールド部材４０のＹ２側の端はピン（１）〜（９）の先端に対応する位置であり、第１の位置Ｑ１にあるときには、図１及び図２に示すように、ハウジング１１の前面１４よりＹ２方向に突き出ているピン（１）〜（９）の周りを囲んでおりシールドしている。第２の位置Ｑ２にあるときには、図８及び図９に示すように、ハウジング１１の前面１４側の部分が露出しており、シールド部材４０のうちＹ１側の部分がスイッチ装置５０を囲んで嵌合している。
【００１６】
図３及び図４はスイッチ装置５０を示す。図３は孔１８の列に対応するＸ−Ｙ面Ｔで断面した図であり、図４は孔１９の列に対応するＸ−Ｙ面Ｕで断面した図である。スイッチ装置５０は、ハウジング１１の背面１５にＸ１−Ｘ２方向に所定範囲内でスライド可能に設けてあり、Ｘ１方向に付勢されており、第１の位置Ｓ１或いは第２の位置Ｓ２に位置する。Ｓ１、Ｓ２は本体５１のＸ２側の端の位置で表す。スイッチ装置５０は、略直方体形状の絶縁性の本体５１の内部に配線パターン５２，５３が形成してあり、Ｙ２側の面５４に９対の可動端子６１−１、６１−２、６２−１、６２−２、・・・６９−１、６９−２が形成してあり、Ｙ１側の面５５に接続端子７０−１〜７０−９が形成してある構成である。また、本体５１はＸ１側とＹ２側との角部に斜面部５６を有する。なお、斜面部５６の寸法はスイッチ装置５０がＸ２方向に前記ピッチＢと等しい距離移動される寸法としてある。
【００１７】
面Ｔで断面すると、図３に示すように、Ｙ２側の面に可動端子６１−１、６１−２、６２−１、６２−２、６３−１、６３−２、６４−１、６４−２、６５−１、６５−２が形成してあり、Ｙ１側の面５５に電線接続端子７０−１、７０−２、７０−４、７０−５及びシールド線接続端子７１が形成してあり、且つ、内部に可動端子と接続端子を所定の態様で電気的に接続する配線パターン５２が形成してある。
【００１８】
可動端子６１−１と可動端子６５−２とが電線接続端子７０−１に接続してある。可動端子６２−１と可動端子６４−２とが電線接続端子７０−２に接続してある。可動端子６３−１と可動端子６３−２とが電線接続端子７０−３に接続してある。可動端子６４−１と可動端子６２−２とが電線接続端子７０−４に接続してある。可動端子６５−１と可動端子６１−２とが電線接続端子７０−５に接続してある。
【００１９】
面Ｕで断面すると、図４に示すように、Ｙ２側の面に可動端子６６−１、６６−２、６７−１、６７−２、６８−１、６８−２、６９−１、６９−２が形成してあり、Ｙ１側の面５５に電線接続端子７０−６〜７０−９が形成してあり、且つ、内部に可動端子と接続端子を所定の態様で電気的に接続する配線パターン５３が形成してある。
【００２０】
可動端子６６−１と可動端子６９−２とが電線接続端子７０−６に接続してある。可動端子６７−１と可動端子６８−２とが電線接続端子７０−７に接続してある。可動端子６８−１と可動端子６７−２とが電線接続端子７０−８に接続してある。可動端子６９−１と可動端子６６−２とが電線接続端子７０−９に接続してある。
【００２１】
また、隣会う可動端子６１−１、６１−２のピッチＢは前記固定端子２６−１〜２６−９のピッチＡの２分の１である。
【００２２】
スイッチ装置５０は、ハウジング１１との間で、図５に示すスイッチＳＷ１〜ＳＷ９を形成している。可動端子６１−１、６１−２と固定端子２６−１とが、スイッチＳＷ１を構成する。同じく、可動端子６２−１、６２−２と固定端子２６−２とが、スイッチＳＷ２を構成する。可動端子６３−１、６３−２と固定端子２６−３とが、スイッチＳＷ３を構成する。可動端子６４−１、６４−２と固定端子２６−４とが、スイッチＳＷ４を構成する。可動端子６５−１、６５−２と固定端子２６−５とが、スイッチＳＷ５を構成する。可動端子６６−１、６６−２と固定端子２６−６とが、スイッチＳＷ６を構成する。可動端子６７−１、６７−２と固定端子２６−７とが、スイッチＳＷ７を構成する。可動端子６８−１、６８−２と固定端子２６−８とが、スイッチＳＷ８を構成する。可動端子６９−１、６９−２と固定端子２６−９とが、スイッチＳＷ９を構成する。
【００２３】
電線１０１−１、１０１−２、１０１−４〜１０１−９と、シールド線１０２とがケーブル１００を形成する。
【００２４】
電線１０１−１〜１０１−４、１０１−６〜１０１−９が夫々電線接続端子７０−１、７０−２、７０−４〜７０−９に接続してある。また、シールド線１０２がシールド線接続端子７１に接続してある。
【００２５】
スイッチ装置５０が第１の位置Ｓ１に位置する場合には、図３及び図４に示すように、可動端子６１−１、６２−１、６３−１、６４−１、６５−１、６６−１、６７−１、６８−１、６９−１が夫々固定端子２６−１〜２６−９に接続され、スイッチＳＷ１〜ＳＷ９は図５に示す接続状態となる。
【００２６】
スイッチ装置５０が第２の位置Ｓ２に位置する場合には、図９及び図１０に示すように、可動端子６１−２、６２−２、６３−２、６４−２、６５−２、６６−２、６７−２、６８−２、６９−２が夫々固定端子２６−１〜２６−９に接続される。スイッチＳＷ１〜ＳＷ９は図１１に示す接続状態となる。
【００２７】
また、スイッチ装置５０が第１の位置Ｓ１と第２の位置Ｓ２との間で移動すると、全部のスイッチＳＷ１〜ＳＷ９が同時に切り換る。
[オス型のケーブルコネクタ装置１０Ｍ]
ユーザがシールド部材４０をＹ２方向に最終位置まで移動させると、図１乃至図６に示すように、コネクタ１０はオス型に設定され、ケーブルコネクタ装置１はオス型のケーブルコネクタ装置１Ｍとなる。最終位置は、突起部３０、３１が夫々スリット２０，２１の終端に到った位置である。
【００２８】
シールド部材４０がＹ２方向に移動されて第１の位置Ｐ１に位置すると、シールド部材４０の移動に連動して、第１にはピン（１）〜（９）が移動して第１の位置Ｑ１に位置し且つ第２にはスイッチ装置５０が移動して第１の位置Ｓ１に位置するようになる。
【００２９】
図１及び図２に示すように、シールド部材４０がハウジング１１の前面１４より突き出し、ピン（１）〜（９）がハウジング１１の前面１４よりＹ２方向に突き出し、シールド部材４０がこの突き出ているピン（１）〜（９）の周りを囲んでシールドした状態となる。また、スイッチＳＷ１〜ＳＷ９が図５に示す接続状態となり、図６に示すように、ピン（１）、（２）、（４）〜（９）と電線１０１−１、１０１−２、１０１−４〜１０１−９とが夫々接続され、且つ、ピン（３）とシールド線１０２とが接続された状態となる。
【００３０】
ケーブルコネクタ装置１はオス型のケーブルコネクタ装置として使用出来る。
[メス型のケーブルコネクタ装置１０Ｆ]
ユーザがシールド部材４０をＹ１方向に最終位置まで移動させると、図７乃至図１２に示すように、コネクタ１０はメス型に設定され、ケーブルコネクタ装置１はメス型のケーブルコネクタ装置１Ｆとなる。
【００３１】
シールド部材４０がＹ１方向に移動されて第２の位置Ｐ２に位置すると、シールド部材４０の移動に連動して、第１にはピン（１）〜（９）が移動して第２の位置Ｑ２に位置し且つ第２にはスイッチ装置５０が移動して第２の位置Ｓ２に位置するようになる。
【００３２】
図７及び図８に示すように、シールド部材４０がＹ１方向に移動することによってハウジング１１の前面１４側の部分１１ａが露出する。この部分１１ａの長さＬ４は、相手となるオス型のコネクタに嵌合するに足る長さである。ピン（１）〜（９）はハウジング１１の前面１４よりＹ１方向に後退して孔１８，１９内に後退しており、ハウジング１１の前面１４は孔１８、１９が並んだ状態となる。
【００３３】
また、シールド部材４０のうちＸ１側とＹ１側との角の部分４５が斜面部５６を押して、スイッチ装置５０がＸ２方向に前記ピッチＢと等しい距離移動されて第２の位置Ｓ２にまで移動される。これによって、スイッチＳＷ１〜ＳＷ９が同時に切り換えられて図１１に示す接続状態となり、図１２に示すように、ピン（１）と電線１０１−５、ピン（２）と電線１０１−４、ピン（４）と電線１０１−２、ピン（４）と電線１０１−１、ピン（６）と電線１０１−９、ピン（７）と電線１０１−８、ピン（８）と電線１０１−７、ピン（９）と電線１０１−６とが夫々接続され、且つ、ピン（３）とシールド線１０２とが接続された状態となる。
【００３４】
また、ハウジング１１の大部分及びスイッチ装置５０はシールド部材４０によってシールドされている。
【００３５】
ケーブルコネクタ装置１はメス型のケーブルコネクタ装置として使用出来る。
【００３６】
なお、シールド部材４０を再度Ｙ２方向に第１の位置まで移動させる操作をすると、ケーブルコネクタ装置１Ｆは図１乃至図６に示すオス型となる。
【図面の簡単な説明】
【００３７】
【図１】本発明の実施例１になるオス型のケーブルコネクタ装置の一部を示す斜視図である。
【図２】図１のオス型のケーブルコネクタ装置を示す図である。
【図３】図１中のスイッチ装置をＸ−Ｙ面Ｔで断面して示す断面図である。
【図４】図１中のスイッチ装置をＸ−Ｙ面Ｕで断面して示す断面図である。
【図５】図３及び図４のスイッチ装置の結線図である。
【図６】図１のオス型のケーブルコネクタ装置のピンと電線との結線図である。
【図７】本発明の実施例１になるメス型のケーブルコネクタ装置の一部を示す斜視図である。
【図８】図７のメス型のケーブルコネクタ装置を示す図である。
【図９】図７中のスイッチ装置をＸ−Ｙ面Ｔで断面して示す断面図である。
【図１０】図７中のスイッチ装置をＸ−Ｙ面Ｕで断面して示す断面図である。
【図１１】図９及び図１０のスイッチ装置の結線図である。
【図１２】図７のメス型のケーブルコネクタ装置のピンと電線との結線図である。
【符号の説明】
【００３８】
（１）〜（９）  ピン
１  ケーブルコネクタ装置
１Ｍ  オス型のケーブルコネクタ装置
１Ｆ  メス型のケーブルコネクタ装置
１０  コネクタ
１０Ｍ  オス型のコネクタ
１０Ｆ  メス型のコネクタ
１１  ハウジング
１８，１９  孔
２０，２１  スリット
２６−１〜２６−９  固定端子
４０  シールド部材
４１，４２  開口
５０  スイッチ装置
５１  本体
５２，５３  配線パターン
５６  斜面部
６１−１、６１−２、６２−１、６２−２、・・・６９−１、６９−２  可動端子
１００  ケーブル
１０１−１、１０１−２、１０１−４〜１０１−９  電線
１０２  シールド線
ＳＷ１〜ＳＷ９  スイッチ
【図１】
2009064628.tif 000003
【図２】
2009064628.tif 000004
【図３】
2009064628.tif 000005
【図４】
2009064628.tif 000006
【図５】
2009064628.tif 000007
【図６】
2009064628.tif 000008
【図７】
2009064628.tif 000009
【図８】
2009064628.tif 000010
【図９】
2009064628.tif 000011
【図１０】
2009064628.tif 000012
【図１１】
2009064628.tif 000013
【図１２】
2009064628.tif 000014